(57)【要約】【課題】戸当を設けることによって生じる使用上の不便さを解消可能な防音ドアの遮音構造を提供する。【解決手段】防音ドア１は、ドア枠３とドアパネル５とを備えている。ドアパネル５の下方側面５ａには、２つのゴム部材７が２列取り付けられている。一方、対向するドア枠３の表面上には２列の窪部３４が形成されている。ドアパネル５をドア枠３に対して閉じると、ゴム部材７はテーパが形成された部分に載り、弾性変形ながら後方側に向かって移動し、各ゴム部材７の先端が窪部３４に嵌って、ドアパネル５とドア枠３との間にできる隙間を閉じる。そのため、防音ドア１は、防音室内で発生する音が外部に漏れないように遮音することができる。また、この防音ドア１は、ドア枠３の下辺上に戸当を設けていないので、使用者が戸当に躓く危険性をなくすことができる。【選択図】  図４
2015083747.tif 000002
【特許請求の範囲】
【請求項１】
ドア枠に対してドアパネルを閉じたときに前記ドア枠と前記ドアパネルとの間に形成される隙間からの音漏れを防止する防音ドアの遮音構造であって、
前記ドアパネルの側面に沿って設けられ、該側面から突出した弾性部材と、
前記ドアパネルを前記ドア枠に対して閉じたときに前記ドアパネルの前記弾性部材が設けられた前記側面に対向する前記ドア枠の表面上に形成された窪部であって、前記弾性部材の長手方向に沿って長尺上に形成されるとともに前記弾性部材の少なくとも一部が嵌る深さに形成され、前記ドアパネルを前記ドア枠に対して閉じたときに前記弾性部材が嵌る窪部と
を備えることを特徴とする防音ドアの遮音構造。
【請求項２】
請求項１に記載の防音ドアの遮音構造において、
前記窪部が設けられた前記ドア枠の表面は、前記ドアパネルが閉じる方向側に向かうほど、前記弾性部材が設けられた前記側面に近づくテーパがつけられていることを特徴とする防音ドアの遮音構造。
【請求項３】
請求項１，２のいずれか１項に記載の遮音構造において、
前記弾性部材は、
前記ドアパネルの前記側面に対し、前記側面の幅方向に複数列並べて設けられ、
前記窪部は、
前記ドアパネルを前記ドア枠に対して閉じたときに、前記各弾性部材に対向する位置に設けられていることを特徴とする防音ドアの遮音構造。
【請求項４】
請求項１〜３のいずれか１項に記載の遮音構造において、
前記弾性部材は、
前記ドアパネルの前記側面に設けられた取付孔に挿入可能な基体部と、
該基体部を前記取付孔に挿入したとき、前記ドアパネルの前記側面から突出する突出部と
を有する形状に形成されていることを特徴とする防音ドアの遮音構造。
【請求項５】
請求項１〜３のいずれか１項に記載の遮音構造において、
前記弾性部材は、前記ドアパネルの下方側面に設けられ、
前記窪部は、前記ドアパネルが前記ドア枠に対して閉じられたとき、前記ドアパネルの下方側面に対向する前記ドア枠の表面上に形成されていることを特徴とする防音ドアの遮音構造。
【発明の詳細な説明】
【技術分野】
【０００１】
本発明は、防音ドアの遮音構造に関する。
【背景技術】
【０００２】
防音ドアは、ドア枠と、このドア枠で囲まれた空間を閉じるドアパネルとを備え、このドアパネルをドア枠に回動可能に取り付け、このドアパネルをドア枠に対して回動することによって、ドア枠で囲まれた空間をドアパネルで開閉する構造となっている。
【０００３】
また、防音ドアは、ドア枠の内側表面上に戸当が突設されており、ドアパネルを閉じるとき、ドアパネルを戸当に当てて閉じる構造となっている。
さらに、防音ドアは、その遮音性を確保するため、ドアパネルとドア枠との間にできる隙間からの音漏れを防止する工夫がされている。
【０００４】
具体的には、戸当のドアパネルが当たる部分にマグネットパッキン（パッキン本体にマグネットが収容されたもの）を設置し、ドアパネルの戸当が当たる部分に鉄板を設置している。
【０００５】
このようにすると、ドアパネルを閉じたとき、戸当側のマグネットパッキンとドアパネル側の鉄板とが密着するので、ドアパネルとドア枠との間にできる隙間から音が漏れることが防止される（例えば、特許文献１参照）。
【先行技術文献】
【特許文献】
【０００６】
【特許文献１】特開平１０−２１６７号公報
【発明の概要】
【発明が解決しようとする課題】
【０００７】
しかし、戸当は、ドア枠の内側表面上から突設されているため使用上不便であることがあり、特に、ドア枠の上下左右の辺うち、下辺部分のドア枠から突設されている戸当は、出入りの際に躓く原因となっていた。
【０００８】
そこで本発明は、戸当を設けることによって生じる使用上の不便さを解消可能な防音ドアの遮音構造を提供することを目的とする。
【課題を解決するための手段】
【０００９】
請求項１に記載の防音ドアの遮音構造は、
ドア枠に対してドアパネルを閉じたときに前記ドア枠と前記ドアパネルとの間に形成される隙間からの音漏れを防止する防音ドアの遮音構造であって、
前記ドアパネルの側面に沿って設けられ、該側面から突出した弾性部材と、
前記ドアパネルを前記ドア枠に対して閉じたときに前記ドアパネルの前記弾性部材が設けられた前記側面に対向する前記ドア枠の表面上に形成された窪部であって、前記弾性部材の長手方向に沿って長尺状に形成されるとともに前記弾性部材の少なくとも一部が嵌る深さに形成され、前記ドアパネルを前記ドア枠に対して閉じたときに前記弾性部材が嵌る窪部と
を備えることを特徴とする。
【００１０】
この防音ドアの遮音構造によると、ドア枠とドアパネルとの間にできる隙間を弾性部材が窪部に嵌ることによって塞いでいるので、ドア枠に戸当を設けなくても、ドア枠とドアパネルとの間に形成される隙間からの音漏れを防止することができる。
【００１１】
したがって、本発明の防音ドアの遮音構造を用いると、戸当を設けることによって生じる使用上の不便さ、例えば、出入りの際に戸当に躓くことなど、を解消することができる。
【００１２】
尚、通常、ドアパネルは上下左右の４つの側面を有するが、弾性部材は、それら４つの側面の全てに設置してもよいし、１、２、又は３つの側面に設置してもよい。窪部もドア枠の上下左右の４つの辺のうちすべての辺に設けてもよいし１、２、又は３つの辺に設けてもよい。
【００１３】
次に、請求項２に記載したように、
請求項１に記載の防音ドアの遮音構造において、
前記窪部が設けられた前記ドア枠の表面は、前記ドアパネルが閉じる方向側に向かうほど、前記弾性部材が設けられた前記側面に近づくテーパがつけられていることを特徴とする。
【００１４】
このようにすると、ドアパネルの側面に弾性部材を設けても、弾性部材がドア枠に引っ掛かることなく、テーパがつけられたドア枠の表面上に弾性部材がスムーズに載るので、ドアをスムーズに開閉することができる。
【００１５】
次に、請求項３に記載したように、
請求項１，２のいずれか１項に記載の遮音構造において、
前記弾性部材は、
前記ドアパネルの前記側面に対し、前記側面の幅方向に複数列並べて設けられ、
前記窪部は、
前記ドアパネルを前記ドア枠に対して閉じたときに、前記各弾性部材に対向する位置に設けられていることを特徴とする。
【００１６】
このようにすると、一つの弾性部材を用いた場合に比べ確実に遮音することができる。
次に、請求項４に記載したように、
請求項１〜３のいずれか１項に記載の遮音構造において、
前記弾性部材は、
前記ドアパネルの前記側面に設けられた挿入孔に挿入可能な挿入部と、
該挿入部を前記挿入孔に挿入したとき、前記ドアパネルの前記側面から突出する突出部と
を有する形状に形成されていることを特徴とする。
【００１７】
このようにすると、ドアパネルに挿入孔を形成し、その挿入孔に弾性部材の挿入部を挿入するだけの簡単な作業で、弾性部材をドアパネルに取り付けることができる。
また、このようにすると弾性部材の挿入部を挿入孔に挿入するだけの簡単な作業で、弾性部材、より具体的には弾性部材の突出部が、ドアパネルの側面から突出した状態となるように弾性部材をドアパネルに取り付けることができる。
【００１８】
次に、請求項５に記載したように、
前記弾性部材は、前記ドアパネルの下方側面に設けられ、
前記窪部は、前記ドアパネルが前記ドア枠に対して閉じられたとき、前記ドアパネルの下方側面に対向する前記ドア枠の表面上に形成されていることを特徴とする。
【００１９】
戸当を設けることによって使用上不便になることととしては、ドア枠の下辺に戸当を設けると使用者が躓くことがあったが、本発明のように構成すると、ドア枠の下辺に戸当を設ける必要がなくなるので、使用者が戸当に躓く危険性をなくすことができる。
【図面の簡単な説明】
【００２０】
【図１】防音ドアの上方斜視図である（閉じた状態）。
【図２】防音ドアの上方斜視図である（開いた状態）。
【図３】防音ドアの下方斜視図である。
【図４】防音ドアを構成するドア枠３を図１のＡ−Ａ’断面で切断した断面図であって、そのドア枠３に対して閉じたドアパネル５をＡ−Ａ’断面と同じ断面で切断した断面図である。
【発明を実施するための形態】
【００２１】
以下に本発明の実施形態を図面と共に説明する。
本実施形態の防音ドア１は、図１に示すように、長方形状に板材が組まれたドア枠３と、ドア枠３に対し回動可能に取り付けられた長方形状のドアパネル５とを備えている。
【００２２】
そして、ドアパネル５は、ドア枠３の左側の板材に対して蝶番５０を介して回動可能に取り付けられている。
ドアパネル５は、右辺側の長手方向中央付近に、ドアノブ５２を備えている。
【００２３】
ドア枠３を構成する板材のうち上方及び左右の板材には、図２に示すように、ドアパネル５をドア枠３に対して閉じたときにドアパネル５の縁部が当たるドア当３０が設けられている。
【００２４】
このドア当３０は、ドア枠３の内側表面上から突設されており、左方の板材の下端から上端、上方の板材の左端から右端、右方の板材の上端から下端まで、各板材の長手方向に沿って連続して設けられている。
【００２５】
また、ドア当３０の前方側（ドアパネル５がドア枠３に対して開く方向側）の側面には、マグネットを内蔵する弾性部材からなるマグネットパッキン３２が取り付けられている。
【００２６】
そして、ドアパネル５には、このドアパネル５をドア枠３に対して閉じたときに、ドア当３０が当たる位置であって、ドアパネル５の後方側（ドアパネル５がドア枠３に対して閉じる方向側）の面の左右及び上方の辺に沿って、鉄板５４が貼り付けられている。
【００２７】
次に、ドアパネル５は、上下左右に４つの側面（厚みをなす面）を有するが、このうち、下方側面５ａには、図３に示すように、この下方側面５ａの幅方向に２列に並べて２つのゴム部材７が取り付けられている。
【００２８】
この側面５ａには、図４に示すように、これらゴム部材７を取り付けるための２つの取付孔５ｂが、下方側面５ａの長手方向に沿って左端から右端まで形成されている。これら取付孔５ｂは、一方が、側面５ａの後方側端部に設けられ、他方が、下方側面５ａの幅方向中央から前方側端部寄りに設けられている。
【００２９】
ゴム部材７は、この取付孔５ｂに挿入される基体部７０と、ドアパネル５に取り付けられたとき側面５ａから突出する突出部７２とを有している。
基体部７０は、ゴム部材７の長手方向に沿った両側側面に複数のヒダ７０ａを備えている。そのため基体部７０を取付孔５ｂに挿入するとヒダ７０ａが曲がり、その復元力によって取付孔５ｂ内でヒダ７０ａが突っ張って基体部７０が取付孔５ｂ内で固定される。このようにしてゴム部材７は、ドアパネル５の下方側面５ａに取り付けられる。
【００３０】
尚、下方側面５ａに設けられた取付孔５ｂのうち、後方側端部に設けられた取付孔５ｂは、下方側面５ａの後方側端部の角部を削り、後方側に向かって開口する部分を鉄板５６で覆って形成される。また、この鉄板５６は左右の端部が折り曲げられ、ドアパネル５の左右の側面の一部を覆っている。（図２，３参照）
突出部７２は、ゴム部材７の長手方向に垂直な断面が円形状となる中空形状に形成されている。
【００３１】
窪部３４は、ドアパネル５をドア枠３に対して閉じたときにドアパネル５のゴム部材７が設けられた下方側面５ａに対向するドア枠３の表面上に形成されている。
この窪部３４は、ドアパネル５が閉じたときに、ドアパネル５の下方側面５ａに取り付けられたゴム部材７の長手方向に沿って長尺上に形成されるとともにゴム部材７の先端が嵌る深さに形成され、ドアパネル５をドア枠３に対して閉じたときにゴム部材７の突出部７２の先端が嵌る大きさに形成されている。
【００３２】
また、この窪部３４が設けられたドア枠３の表面であって、ドアパネル５をドア枠３に対して閉じたときに下方側面５ａに対向する部分は、ドアパネル５が閉じる方向側に向かうほど、ゴム部材７が設けられた下方側面５ａに近づくテーパがつけられている。
（本実施形態の特徴的な作用効果）
このように形成された防音ドア１では、ドアパネル５の下方側面５ａから下方に向かってゴム部材７が突出することとなるが、この下方側面５ａが対向するドア枠３の表面はテーパがつけられているので、ドアパネル５をドア枠３に閉じるとき、ゴム部材７がドア枠３の表面上にスムーズに載る。
【００３３】
そして、さらにドアパネル５をドア枠３に対して閉じると、ゴム部材７はドア枠３のテーパがつけられた部分に載ると弾性変形しながら後方側に向かって移動し、ドアパネル５がドア当３０に当たってドア枠３に対して閉じられると、各ゴム部材７の先端が窪部３４に嵌り、ドアパネルの下方側面５ａとドア枠３の下方の板材との間にできる隙間を閉じる。
【００３４】
また、本実施形態では、ドアパネル５の上方側面、及び右方側面、左方側面とドア枠３との間にできる隙間は、マグネットパッキン３２が磁力によって弾性変形して鉄板５４に磁着することによって閉じられる。
【００３５】
そのため、本実施形態の防音ドア１は、この防音ドア１が取り付けられた防音室内で発生する音が外部に漏れないように遮音することができる。
また、本実施形態の防音ドア１は、複数のゴム部材７が窪部３４に嵌る構造を採用しているので、確実に遮音することができる。
【００３６】
また、本実施形態の防音ドア１は、ゴム部材７を取付孔５ｂ内に挿入するだけで、ドアパネル５に取り付けることができるので、簡単に組み立てることができる。
さらに、本実施形態の防音ドア１は、ドア枠３の下辺上に戸当を設けていないので、使用者が戸当に躓く危険性をなくすことができる。
［他の実施形態］
以上、実施形態について説明したが、特許請求の範囲に記載された発明は、上記実施形態に限定されることなく、種々の形態を採り得ることは言うまでもない。
【００３７】
（１）上記実施形態で説明した防音パネルはあくまでも一例であり、これに限定されるものではない。
（２）上記実施形態では、ゴム部材７をドアパネル５の下方側面にのみ取り付けた構造の防音ドア１を例示したが、これに限定されるものではなく、例えばこのゴム部材７をドアパネル５の全体に取り付けてもよい。
【００３８】
（３）上記実施形態では、ドア枠３にテーパをつけたが、テーパは必ずしも必要なものではない。テーパは製品によってはなくてもよい。
（４）上記実施形態のようにゴム部材７と窪部３４の数は２組に限るものではない。１組でもよいし３組以上でもよい。
【符号の説明】
【００３９】
１… 防音ドア  ３… ドア枠  ５… ドアパネル  ５ａ… 側面  ５ｂ… 取付孔
７… ゴム部材（弾性部材）  ３０… ドア当  ３２… マグネットパッキン
３４… 窪部  ５０… 蝶番  ５２… ドアノブ  ５４… 鉄板  ５６… 鉄板
７０… 基体部  ７０ａ… ヒダ  ７２… 突出部
【図１】
2015083747.tif 000003
【図２】
2015083747.tif 000004
【図３】
2015083747.tif 000005
【図４】
2015083747.tif 000006